(57)【要約】  電磁放射の影響を受ける受信ユニットと、可変ローター速度、１ＭＷより高い定格出力、および少なくとも５０ｍのローター直径を有する１基または複数基の風力タービンと、を備えたシステムであって、これら１基または複数基の風力タービンが、受信ユニットから２０ｋｍ未満の距離に位置しており、システムが、１基または複数基の風力タービンによって放出される、および／または反射される電磁放射による受信ユニットの干渉を低減するように構成されており、特に、受信ユニットが、１０ＭＨｚ〜２５０ＭＨｚの周波数範囲内の宇宙電磁放射を受信する少なくとも１つのアンテナを備えている、システム。【選択図】  図３
2020507036.tif 000002
【特許請求の範囲】
【請求項１】
１ＭＷより高い定格出力および少なくとも５０ｍのローター直径を有する可変ローター速度の風力タービン（１）であって、タワー（２）、直接駆動発電機（４）と一体化することのできるナセル（３）、ハブ（５）、および少なくとも１枚のブレード（６）などの、いくつかの主要部品を備えており、前記発電機の電力の可変周波数を供給網周波数に適合させるための変圧器（７）およびメインコンバータ（８）をさらに備えており、前記風力タービンが、特に１０ＭＨｚと２５０ＭＨｚの間の範囲内の電磁（ＥＭ）放射の放出を低減するように構成されている、風力タービン。
【請求項２】
第１の主要部品および第２の主要部品を備えており、前記主要部品が互いに回動可能に結合されており、前記部品それぞれが、ＥＭ放射の遮蔽体を備えており、前記遮蔽体が、ＥＭ放射源でありうる装置を囲んでおり、前記遮蔽体は、非遮蔽領域の最大非遮蔽距離が、１ｍ未満、特に０．３ｍ未満、より特に０．１ｍ未満、好ましくは０．０３ｍ未満の電磁遮蔽体を形成するように、前記遮蔽体が特にスリップリング（２５）を介して互いに導通可能に接続されている、請求項１に記載の風力タービン。
【請求項３】
第１の主要部品および第２の主要部品を備えており、前記主要部品が互いに回動可能に結合されており、前記部品のいずれも、ＥＭ放射の遮蔽体を備えており、前記遮蔽体が、ＥＭ放射源でありうる装置を囲んでおり、回動結合部の付近において、前記遮蔽体（３０，３１，３３，３４）が、前記回動結合部の回転中心の方に、ある程度継続されており、かつ特にスリップリングを介して接地されており（３２，３５）、前記遮蔽体が、１ｍ未満、特に０．３ｍ未満、より特に０．１ｍ未満、好ましくは０．０３ｍ未満、の最大非遮蔽距離を有する遮蔽されていない領域を備えていてよい、請求項１または請求項２に記載の風力タービン。
【請求項４】
互いに対して回転することができ、かつそれぞれがＥＭ放射に関して遮蔽されている少なくとも２つの主要部品、を備えており、前記遮蔽体が、接地されており、かつ、少なくとも１０ｃｍ、特に少なくとも３０ｃｍ、より特に少なくとも１ｍの重なり部（２４）を有する、請求項１から請求項３のいずれか１項に記載の風力タービン。
【請求項５】
２つの主要部品を備えており、前記第１の主要部品が、前記直接駆動発電機（４）の固定子（２７）を備えており、前記第１の主要部品に回動可能に結合されている前記第２の主要部品が、前記直接駆動発電機の回転子（２８）を備えており、両方の前記主要部品が、ＥＭ放射の放出に対する遮蔽体を備えており、前記遮蔽体が、前記発電機の回転軸線を中心とする閉曲線（２６）に沿って互いに境界を遮蔽し、前記閉曲線に沿って前記遮蔽体が電気的に接続されており（２５）、前記曲線に沿って測定された、前記電気的接続部の間の最大距離が、１ｍ未満、特に０．３ｍ未満、より特に０．１ｍより小さい、請求項１から請求項４のいずれか１項に記載の風力タービン。
【請求項６】
ＥＭ放射に対するハッチ遮蔽体を有するハッチ（２０，２２）をさらに備えており、前記ハッチ遮蔽体が、前記ハブ、前記ナセル、前記タワー、前記基礎部、または前記ブレードの個別の部材または一体化された部材であるＥＭ放射の遮蔽体に接しており、前記ハッチ遮蔽体が、前記遮蔽体への１つまたは複数の導電性接合部（２１，２３）を備えており、複数の接合部の場合、閉曲線であって、前記閉曲線に沿って前記ハッチ遮蔽体が前記遮蔽体に接している、前記閉曲線、に沿って測定された、前記接合部の間の最大距離が、１ｍ未満、特に０．３ｍ未満、より特に０．１ｍより小さい、請求項１から請求項５のいずれか１項に記載の風力タービン。
【請求項７】
前記ナセルおよび／または前記ハブが電子機器を囲んでおり、前記機器が、すべての方向において、または前記タワー上部への下方向を除くすべての方向において、遮蔽されていない領域を有することのできる接地された導電性表面によって囲まれており、前記遮蔽されていない領域が、１ｍ未満、特に０．３ｍ未満、より特に０．１ｍ未満、好ましくは０．０３ｍ未満、の最大非導電性範囲を有する、請求項１から請求項６のいずれか１項に記載の風力タービン。
【請求項８】
前記ナセルの前記外面と、ＥＭ放射の遮蔽体とが統合されており、特に、前記ナセルが、金属の外面、またはＥＭ放射を遮蔽する導電性材料と統合された複合材の外面、を備えている、請求項７に記載の風力タービン。
【請求項９】
前記メインコンバータと前記変圧器との間の少なくとも１本の電力ケーブル、を備えており、前記電力ケーブルの長さが、２０ｍ未満、特に１０ｍ未満、好ましくは５ｍ未満、である、請求項１から請求項８のいずれか１項に記載の風力タービン。
【請求項１０】
前記メインコンバータに接続されている少なくとも１本の電力ケーブル、を備えており、前記電力ケーブルの電気信号に、コモンモード信号および／または差動モード信号を対象に、５０ＭＨｚ未満、特に１０ＭＨｚ未満の遮断周波数で低域通過フィルタ処理が施される、請求項１から請求項９のいずれか１項に記載の風力タービン。
【請求項１１】
前記メインコンバータに接続されている少なくとも１本の電力ケーブル、特に、前記メインコンバータに接続されているすべての電力ケーブルが、１つまたは複数のフェライト磁心によって囲まれており、前記１つまたは複数のフェライト磁心が、好ましくは前記メインコンバータから１ｍ以内に取り付けられている、または、前記メインコンバータに一体化されており、特に、前記フェライト磁心が、接地されている導電性表面によって囲まれている、請求項１から請求項１０のいずれか１項に記載の風力タービン。
【請求項１２】
ＥＭ放射低放出モードに切り替えることができ、前記ＥＭ放射低放出モードでは、前記メインコンバータが常時オフに切り替えられている、または前記メインコンバータの電源回路が作動されず、特に、ヨーモータおよびピッチモータのコンバータが、存在時、前記ＥＭ放射低放出モードの時間の少なくとも５０％の間、特に、前記ＥＭ放射低放出モードの時間の少なくとも９０％の間、より特に、前記ＥＭ放射低放出モードの期間全体の間、オフに切り替えられている、請求項１から請求項１１のいずれか１項に記載の風力タービン。
【請求項１３】
前記メインコンバータ（８）が、前記タワー（２）の下から１／４の範囲内に設置されており、１本または複数本の電力ケーブルが、前記メインコンバータを前記発電機（４）に接続しており、前記１本または複数本の電力ケーブルが導電性遮蔽体を備えており、前記導電性遮蔽体が、前記コンバータから特定の距離において、かつ前記発電機から特定の距離において前記タワーに接地されており、前記特定の距離が、１０ｍ未満、特に３ｍ未満、より特に１ｍ未満であり、前記導電性遮蔽体が、好ましくは前記コンバータおよび／または前記発電機に直接接地されている、請求項１から請求項１２のいずれか１項に記載の風力タービン。
【請求項１４】
前記ナセル上および前記ブレード内の受雷部と、前記受雷部から前記タワーまでの雷ケーブルとを有する避雷器、をさらに備えており、前記避雷器が、前記雷ケーブルにおける少なくとも１つのスパークギャップを備えており、前記少なくとも１つのスパークギャップが、静電放電によるＥＭ放射の放出を減少させるように構成されている電子回路を備えており、前記回路にかかる、より高い電圧における前記電子回路の抵抗が、前記回路にかかる、より低い電圧における前記電子回路の抵抗より低い、請求項１から請求項１３のいずれか１項に記載の風力タービン。
【請求項１５】
前記タワーまたは前記ナセルの外側に取り付けられている電子機器（４１，４２，４３，４４）、をさらに備えており、前記機器がＥＭ放射に関して遮蔽されており、特に、前記機器が、接地された導電性表面によって覆われている、または、導電性の網状表面によって部分的または完全に囲まれている、請求項１から請求項１４のいずれか１項に記載の風力タービン。
【請求項１６】
前記ブレード、前記ナセル、または前記タワーのいずれか１つ以上が、ＥＭ放射を吸収する塗料によって覆われている、請求項１から請求項１５のいずれか１項に記載の風力タービン。
【請求項１７】
ＥＭ放射の影響を受ける受信ユニット（５１）と、請求項１から請求項１６のいずれか１項に記載の１基または複数基の風力タービン（１）とを備えたシステムであって、前記１基または複数基の風力タービンが前記受信ユニットから２０ｋｍ未満の距離に位置しており、前記システムが、前記１基または複数基の風力タービンによって放出される、および／または反射される前記ＥＭ放射による前記受信ユニットの干渉を低減するように構成されており、特に、前記受信ユニットが、１０ＭＨｚと２５０ＭＨｚの間の周波数範囲における宇宙電磁放射を受信する少なくともアンテナ（５２）、を備えている、システム。
【請求項１８】
前記１基または複数基の風力タービンのうち選択された風力タービンが、干渉への風力タービンあたりの寄与に応じて、ＥＭ放射による干渉が低減される様態に意図的に切り替えられ、特に、この様態が、風力タービンの前記コンバータの低減された動作に基づき、より特に、この様態が、発電しない様態である、請求項１７に記載のシステム。
【請求項１９】
前記システムが処理ユニット（５７）をさらに備えており、前記処理ユニット（５７）が、特に、前記１基または複数基の風力タービンのいずれか１基以上を、前記干渉への寄与が低減される運転モードに切り替えることによって、より特に、前記１基または複数基の風力タービンのいずれか１基以上の停止姿勢を制御することによって、前記干渉が低減されるように、前記受信ユニット（５１）および前記１基または複数基の風力タービン（１）の両方から情報を受信し、かつ前記受信ユニットおよび／または前記１基または複数基の風力タービンを制御し、前記停止姿勢が、前記ナセルのヨー角、前記ローターの方位角、および少なくとも１枚のブレードのピッチ角によって決まる、請求項１７または請求項１８に記載のシステム。
【請求項２０】
測定されたＥＭ放射を使用して前記干渉を低減する目的で、個別のツールとすることができる、または前記受信ユニットに組み込むことのできる測定ツールが、前記１基または複数基の風力タービンのいずれか１基以上から放出される前記ＥＭ放射、特に、前記１基または複数基の風力タービンのいずれか１基以上から放出されて前記受信ユニットの方に向かう放射、を測定するように構成されている、請求項１７から請求項１９のいずれか１項に記載のシステム。
【請求項２１】
ＥＭ放射を受信して処理するためのアンテナ（５２）および装置（５３）、をさらに備えており、前記干渉が低減されるように、前記アンテナによって受信される信号をフィルタリングする目的で、前記１基または複数基のタービンのいずれか１基以上の、生成される電力、前記ローターのｒｐｍ、前記ローターの方位角、および時間に対する前記ブレードのピッチ角など、風力タービンのデータが、前記受信ユニットによって適用される、請求項１７から請求項２０のいずれか１項に記載のシステム。
【請求項２２】
ＥＭ放射を遮蔽する導電性の網（６１）が、前記１基または複数基の風力タービン（１）のいずれか１基以上と前記受信ユニット（５１）との間に設置されており、特に、地面に近い前記網の平均格子サイズが、地面より上の、より大きい高さにおける平均格子サイズより大きく、より特に、前記網の下部が、地表面より上、２メートルまたはそれ以上から始まる、請求項１７から請求項２１のいずれか１項に記載のシステム。
【請求項２３】
請求項１７から請求項２２のいずれか１項に記載のシステムを最適化する方法であって、前記干渉を低減する目的で前記１基または複数基の風力タービンのいずれか１基以上がエネルギ低減生産の様態に切り替えられている期間が、特に、前記期間を、エネルギ生産が少ない風速の間隔中に、または前記生成されるエネルギの価格が低い間隔中に、または風力タービンのメンテナンスが予定されている間隔中に、選ぶことによって、前記１基または複数基の風力タービンの財務収益に有利であるように選択される、システムを最適化する方法。
【請求項２４】
前記１基または複数基の風力タービン以外の妨害側装置を、低放出モードに切り替えることができる、またはオフに切り替えることができるように、これらの装置に、前記受信ユニットが稼動可能である期間が伝えられる、請求項１７から請求項２３のいずれか１項に記載のシステムを最適化する方法。
【請求項２５】
請求項１から請求項１５のいずれか１項に記載の風力タービンのＥＭ放射の放出を測定する方法であって、アンテナ（１４）が、特に、地表面より上の前記風力タービンの軸線の高さの少なくとも５０％より上において、前記風力タービンに固定されている、方法。
【発明の詳細な説明】
【技術分野】
【０００１】
本発明は、電磁放射の放出が少ない風力タービンと、電磁放射の影響を受ける受信ユニット、および、電磁放射の放出が少ない１基または複数基の風力タービンの両方を備えたシステムであって、これらの風力タービンを受信ユニットから２０ｋｍ未満の距離に位置させることのできる、システムと、このシステムを最適化する方法と、風力タービンの電磁放射の放出を測定する方法と、に関する。
【背景技術】
【０００２】
風力タービンによる電磁放射（以下ではＥＭ放射と称する）の放出は、通常では問題ではなく、なぜならタービンは、放出レベルを制限する国際的な規制に準拠しているためである。しかしながらいくつかの特定のケースでは、この放出レベルであっても依然として受信ユニットが障害を受ける。受信ユニット（receiving unit）とは、主観的または客観的にＥＭ放射の影響を受ける任意のユニットである。このようなユニットの例は、１０ＭＨｚ〜２５０ＭＨｚの帯域幅内で宇宙線を受信するように建設されているいわゆるＬＯＦＡＲ（Low Frequency Array）のアンテナである。別の例は、ＥＭ放射を感じ、ときには障害を受けていると主張する人である。人によっては、一般的に生物種（植物相および動物相の両方）がＥＭ放射によって障害を受けていると主張する。結論的には、たとえ風力タービンが放出レベルに関して準拠していても、依然として多くの受信ユニットが、風力タービンによって放出されるＥＭ放射の干渉による障害を受ける。このことは、風力エネルギを実施する、したがって再生可能エネルギに移行するうえでの障害である。
【０００３】
干渉を低減するための公知の基本的な解決策は、ウインドファームの風力タービンが停止される、および／またはオフに切り替えられる特定の期間について合意することである。別の公知の解決策は、単純に、特定の地域において風力タービンの設置を許可しないことである。いずれの場合も、その結果として、風力エネルギの実施が減速する、または、ウインドファームによって生成されるエネルギが減少して非経済的となる。第３の方法は、ウインドファームを設置し、障害を直接的に受けている、または他の生物種を介して間接的に受けている人々の苦情を無視することである。当然ながらこれは望ましくない方法であり、なぜならこれにより風力エネルギに対する大きな抵抗感が生まれるためである。
【先行技術文献】
【非特許文献】
【０００４】
【非特許文献１】‘Verstoring van het elektromagnetische milieu ter plaatse van de LOFAR kern door het windturbinepark Drentse Monden en Oostermoer’, no. 2016-09190001 by Agentschap Telecom
【発明の概要】
【発明が解決しようとする課題】
【０００５】
本発明の目的は、既存の解決策の上述した欠点を克服することである。
【０００６】
さらには、風力エネルギの実施は過去数十年で成長しており、風力タービンは最適な場所に設置されてきた。したがって、別の地域（場合によっては、受信ユニット、特に、ＥＭ放射による干渉に対して高い感受性を持つ人々が移転した静かな地域）が、ウインドファームの設置のために現在考慮されている。したがって、風力タービンによって放出されるＥＭ放射による障害が増えるものと予測される。
【０００７】
したがって、効率的な方法において、特に、人々による苦情を無視せず、かつウインドファームの実施を大幅に妨げない方法によって、障害を低減する必要がある。
【課題を解決するための手段】
【０００８】
これに関して、本発明の一態様によれば、風力タービンによるＥＭ放射による干渉の客観的または主観的な影響が存在する地域に、１ＭＷより高い定格出力および少なくとも５０ｍのローター直径を有する可変ローター速度の風力タービンであって、タワー、発電機と一体化することのできるナセル、ハブ、および少なくとも１枚のブレードなどの、いくつかの主要部品を備えており、発電機の電力の可変周波数を供給網周波数に適合させるための変圧器およびメインコンバータをさらに備えており、風力タービンが、特に１０ＭＨｚ〜２５０ＭＨｚの範囲内のＥＭ放射を低減するように構成されている、風力タービン、を設置することを提案する。
【０００９】
本発明の実施形態においては（以下では「一実施形態においては」と記載する）、本風力タービンは、風力タービンのいずれか１つまたは複数の部品がＥＭ放射の放出を低減するように構成されているとき、ＥＭ放射の放出を低減するように構成されている。別の実施形態においては、本風力タービンは、３０ＭＨｚ〜２３０ＭＨｚの周波数範囲における等方的に放射される等価電力を、２．５ｐＷ／Ｈｚ（ヘルツあたりピコワット）未満に、特に０．２５ｐＷ／Ｈｚ未満に、より特に０．０２５ｐＷ／Ｈｚ未満に、さらにより特に０．００２５ｐＷ／Ｈｚ未満に、低減するように構成されているＥＭ放射源、と考えられる。さらに別の実施形態においては、本風力タービンは、ナセルから３０ｍの距離における、１２０ｋＨｚの帯域幅の３０ＭＨｚ〜２３０ＭＨｚの周波数範囲内の放出される電磁場の強度限界を、２４ｄＢμＶ／ｍ未満、特に１８ｄＢμＶ／ｍ未満、より特に１２ｄＢμＶ／ｍ未満、さらにより特に９ｄＢμＶ／ｍ未満、のレベルに低減するように構成されている。
【００１０】
一実施形態においては、本風力タービンは、第１の主要部品および第２の主要部品を備えており、これらの主要部品が互いに回動可能に結合されており、これらの主要部品が、ＥＭ放射に対する遮蔽体を備えており、これらの遮蔽体が、ＥＭ放射源でありうる装置を囲んでおり、これらの遮蔽体が、遮蔽体が電磁遮蔽体（閉電磁場とすることができる）を形成するように、特にスリップリングを介して互いに導通可能に接続されている。
【００１１】
一実施形態においては、第１の主要部品の遮蔽体、および場合によってはさらに第２の主要部品の遮蔽体が、回動結合部の回転中心の方に、ある程度、または完全に継続されており、かつ接地されている、または、隣接する遮蔽体に相互接続されている。ある程度継続されている、とは、回転中心から１ｍ未満離れた位置まで、特に０．６ｍ未満離れた位置まで、より特に０．３ｍ未満離れた位置まで、回転中心の方に延在しているものと定義することができる。このレイアウトの利点は、遮蔽体自体が、１０ＭＨｚ〜２５０ＭＨｚの範囲内の帯域幅を有するＥＭ放射に対する閉じた面を形成することができることである。回動可能に結合されている２つの主要部品の２つの隣接する遮蔽体の場合、この利点として、遮蔽体を閉じるために、遮蔽体間の導電性接続部（例：スリップリング、ブラシ、または液体金属ベースの接点）が少なくてすむ、さらには必要ないことである。一実施形態においては、液体金属ベースの接点には、水銀の代わりにガリウム系合金が使用される。
【００１２】
一実施形態によれば、遮蔽体は、２つの主要部品が回動可能に結合されている位置において閉じており、遮蔽体は、メンテナンススタッフのための通路、または交換部品を運ぶための通路を有することができる。この通路は、ドアまたはハッチの形状を有することができ、それ自体を遮蔽することができる。
【００１３】
主要部品とは、タワー、発電機の少なくとも固定子を含むナセル、発電機の回転子を含みうるハブ、およびブレードのいずれか１つ以上、を意味する。回動可能に結合されている２つの主要部品とは、タワーおよびナセル、ナセルおよび発電機、ナセルおよびハブ、または、ハブおよびブレード、を意味する。
【００１４】
本発明に係る遮蔽体は、遮蔽されていない領域を備えていることができ、遮蔽されていない最大距離は、１ｍ未満、特に０．３ｍ未満、より特に０．１ｍ未満、好ましくは０．０３ｍ未満である。さらには、遮蔽体のいずれか１つ以上を、個別の遮蔽体とすることができ、または、風力タービンの別の部品と一体化してもよい。例えば、以下に限定されないが、発電機のハウジングが、ＥＭ放射の遮蔽体としての役割と、ハウジングとしての役割の両方を果たすことができる。また、ナセルの外面を、ＥＭ放射に対する遮蔽体と統合することもできる。このような遮蔽体は、以下に限定されないが、構造上の機能または避雷などの別の機能をさらに有することができる。
【００１５】
一実施形態においては、本風力タービンは、互いに対して回動可能に動くことができ、かつそれぞれがＥＭ放射の遮蔽体を備えている少なくとも２つの主要部品、を備えており、これらの遮蔽体は、接地されており、かつ、少なくとも１０ｃｍ、特に少なくとも３０ｃｍ、より特に少なくとも１ｍの重なり部を有する。
【００１６】
一実施形態においては、本風力タービンは２つの主要部品を備えており、第１の主要部品が、直接駆動発電機の固定子を備えており、第１の主要部品に回動可能に結合されている第２の主要部品が、直接駆動発電機の回転子を備えており、両方の主要部品が、ＥＭ放射の放出に対する遮蔽体を備えており、これらの遮蔽体が、発電機の回転軸線を中心とする閉曲線に沿って互いに境界を遮蔽しており、閉曲線に沿って遮蔽体が電気的に接続されており、曲線に沿って測定された、スリップリング、ブラシ、または液体金属ベースの接点などの電気的接続部の間の最大距離が、１ｍ未満、特に０．３ｍ未満、より特に０．１ｍより小さい。
【００１７】
本発明に係る風力タービンは、ＥＭ放射に対するハッチ遮蔽体（hatch-shield）を有するハッチをさらに備えており、ハッチ遮蔽体が、主要部品または基礎部の個別の部材または一体化された部材であるＥＭ放射の遮蔽体に接しており、ハッチ遮蔽体が、遮蔽体への１つまたは複数の導電性接合部（electrically conductive joint）を備えており、複数の接合部の場合、閉曲線であって、閉曲線に沿ってハッチ遮蔽体が遮蔽体に接している、閉曲線、に沿って測定された、接合部の間の最大距離が、１ｍ未満、特に０．３ｍ未満、より特に０．１ｍより小さい、ことが有利である。なお、ハッチという語は、風力タービンにおける任意の開口部を意味することに留意されたい。したがって、例えばドア、換気口、点検穴、マンホールなどの開口部（これらのいずれも、タワー、基礎部、ナセル、ハブ、またはブレードに配置され得る）を、ハッチとみなすことができる。
【００１８】
一実施形態においては、本風力タービンのナセルおよび／またはハブは、電子機器を囲んでおり、これらの機器は、すべての方向において、または下方向を除くすべての方向において、接地された導電性表面によって囲まれており、この導電性表面は、１ｍ２未満、特に、０．３ｍ２未満、好ましくは０．１ｍ２未満である遮蔽されていない領域を備えていてよい。
【００１９】
一実施形態においては、ナセルの外面と、ＥＭ放射の遮蔽体とが統合されており、特に、ナセルは、金属の外面、またはＥＭ放射を遮蔽する導電性材料と統合された複合材の表面、を備えている。
【００２０】
一実施形態においては、本風力タービンは、メインコンバータと変圧器との間の少なくとも１本の電力ケーブルを備えており、この電力ケーブルの長さは、２０ｍ未満、特に１０ｍ未満、好ましくは５ｍ未満、である。特に、メインコンバータに接続されている電力ケーブルはＥＭ放射源であり、変圧器によってＥＭ放射が減衰することが示されており、したがって、ＥＭ放射が放出されるケーブルの長さを短縮できるように、コンバータを変圧器の近くに設置することが有利である。
【００２１】
さらなる有利な実施形態においては、コンバータと変圧器との間の電力ケーブル、および特に、コンバータと発電機との間の電力ケーブルに、それぞれコモンモード信号および差動モード信号を低減する目的で、相とアースの間、および／または、相と相の間において、５０ＭＨｚ未満、特に１０ＭＨｚ未満の遮断周波数で低域通過フィルタ処理が施される。このような低域通過フィルタは、相をグラウンドに接続する、または相を互いに接続するキャパシタを備えた電子回路とすることができる。別の可能な方法は、コンバータに接続されている相に正弦波フィルタを適用することである。
【００２２】
一実施形態においては、メインコンバータへの少なくとも１本の電力ケーブル、特に、メインコンバータへのすべての電力ケーブルが、１つまたは複数のフェライト磁心によって囲まれており、フェライト磁心は磁石とすることができる。１つまたは複数のフェライト磁心のいずれか１つ以上が、メインコンバータの近くに、例えばメインコンバータから１ｍ以内に、取り付けられていることが好ましい。フェライト磁心は、接地されている導電性表面によって囲まれていることが有利である。なお、メインコンバータへのすべてのケーブル（したがってさらに電力ケーブル以外のケーブル）の周囲にフェライト磁心を適用することによって、ＥＭ放射が効果的に減少することに留意されたい。風力タービン内の別のより小型のコンバータ（電源におけるコンバータ、ヨーモータもしくはピッチモータを駆動するコンバータ、または冷却ポンプもしくは冷却ファンを駆動するコンバータなど）にも、同じ方策が有用である。この説明におけるコンバータという用語は、インバータ、サーボ駆動装置、電気駆動装置、または周波数変換器も意味しうる。
【００２３】
一実施形態においては、本風力タービンは、ＥＭ放射低放出モードに切り替えることができ、ＥＭ放射低放出モードでは、メインコンバータが常時オフに切り替えられている、またはメインコンバータの電源回路が作動されない。一実施形態においては、干渉を低減させるべき期間の間、少なくとも５０％の時間にわたり、特に、少なくとも９０％の時間にわたり、より特に、期間全体の間、ヨーモータおよびピッチモータのコンバータなどの別のコンバータがオフに切り替えられている。ＬＯＦＡＲなどの受信ユニットでは、平均するとＥＭ干渉が減少し、したがってコンバータの短期間の作動は、許容可能であり、同時に、ヨー運動によって風力タービンを風向きの方向に維持するためと、タービンの電力をピッチ運動によって制御するために十分である。さらなる実施形態においては、本風力タービンを、専用の固定回転速度モードで運転することができ、このモードでは、電力回路内のコンバータが作動せず、発電機が供給網に直接結合される。例えば、二重給電発電機（doubly fed generator）を有する風力タービンの場合には、これは現実的なオプションである。固定ローター速度動作の場合、過電力が回避されるように、タービンのブレードのピッチ角は、通常より風向計の方のポジションに調整されることが有利である。
【００２４】
一実施形態においては、本風力タービンのヨーモータおよびピッチモータは、コンバータなしで動作し、有利には、大きなピーク電流を回避するために、ソフトスタータを適用してヨーモータおよびピッチモータを駆動することができ、これらのモータを始動および停止させるリレーに低域通過フィルタ処理を施すことができる。
【００２５】
一実施形態においては、メインコンバータは、タワーの下から１／４の範囲内に取り付けられており、１本または複数本の電力ケーブルがメインコンバータを発電機に接続しており、これら１本または複数本の電力ケーブルが、コンバータから特定の距離において、かつ発電機から特定の距離においてタワーに接地されている遮蔽体、を備えており、この特定の距離が、１０ｍ未満、特に３ｍ未満、より特に１ｍ未満である。ケーブルの遮蔽体は、コンバータの遮蔽体に直接接地されていることが好ましい。このようなケーブル遮蔽体の実施形態は、網状の導電線、網組シールド（braid）、またはフォイルから作製されている従来のケーブルシールド、または、タワーの壁もしくはナセルに固定されている導電性パイプや金属ケーブルトレイなどの構造部品である。ケーブル遮蔽体は、外部遮蔽体とする、またはケーブルの絶縁体と統合することができる。
【００２６】
一実施形態においては、ナセル上およびブレード内の受雷部（receptor）と、受雷部からタワーまでの雷ケーブル（lightning cable）とを有する、本風力タービンの避雷器アセンブリは、少なくとも１つのスパークギャップ（spark gap）を備えており、電子回路は、ギャップを通じて電荷を導くことによってギャップを通じた静電放電を回避する。有利な実施形態においては、回路にかかる、より高い電圧における電子回路の抵抗は、回路にかかる、より低い電圧における電子回路の抵抗より低く、したがってＥＭ放射に関連付けられる低電圧信号はギャップを通ってブレード内に入らない。このような電子回路は、ツェナーダイオード、または例えば金属酸化物タイプのバリスタを備えているサージ保護装置を備えていることができる。
【００２７】
本風力タービンの一実施形態においては、タワーまたはナセルの外面に取り付けられている、風速計、風向計、標識灯、またはＬＩＤＡＲ機器などの電子機器は、ＥＭ放射に関して遮蔽されている。これらの機器は、接地された導電性表面または網によって機器を覆うことによって遮蔽することができる。これに代えて、金網を備えた、周囲を囲む形状の中に機器を取り付けることができ、網の目のサイズは、１ｍ×１ｍ未満、特に０．３ｍ×０．３ｍ未満、より特に０．１ｍ×０．１ｍ未満である。
【００２８】
一実施形態においては、本タービンのブレードまたはタワーは、反射されるＥＭ放射の寄与がより少ないように、ＥＭ放射を吸収するように最適化されている塗料の層によって覆われている。これに代えて、ブレードは、接地されている導電性表面を有することができる。
【００２９】
システム
本発明の一態様によれば、ＥＭ放射の影響を受ける受信ユニットと、本発明に係る１基または複数基の風力タービンとを備えたシステムであって、１基または複数基の風力タービンが受信ユニットから２０ｋｍ未満の距離に位置しており、システムが、１基または複数基の風力タービンによって放出される、および／または反射されるＥＭ放射による受信ユニットの干渉を低減するように構成されており、特に、受信ユニットが、１０ＭＨｚ〜２５０ＭＨｚの周波数範囲における宇宙電磁放射（cosmic EM-radiation）を受信する少なくとも１つのアンテナ、を備えている、システム、を提案する。受信ユニットは、広義に説明されるべきであり、受信ユニットは、１基または複数基の風力タービンのいずれか１基以上によって放出または反射されるＥＭ放射によって、客観的または主観的に影響を受ける技術的装置、または人間、または任意の生きている動物もしくは植物とすることができる。一実施形態においては、受信ユニットは、ＥＭ放射の影響を受ける、アンテナの空間アレイ、を備えている。
【００３０】
本発明の驚くべき１つの利点として、ＥＭ放射の影響が深刻に受け止められているとき、影響の客観的な判定とは無関係に、本発明に係る風力タービンまたはシステムを使用することによって、風力エネルギの実施がより良好に受け入れられ、ウインドファームの実現が支持される。画期的な考えは、風力タービンによって放出されるＥＭ放射を、規制によって規定されているよりずっと高い程度低減し、さらに、生物種、特に人に有害であると科学的に証明されているレベルより低くＥＭ放射を低減することである。科学的な観点からは合理的でないと思われるこの方法の驚くべき結果として、これによって風力エネルギの実施が支持され、多くの抵抗感が取り除かれる。
【００３１】
本システムの一実施形態においては、１基または複数基の風力タービンのうち選択された風力タービンが、風力タービンあたりの寄与に応じて、より低いＥＭ干渉の様態に意図的に切り替えられる。より低いＥＭ干渉のこのような様態は、コンバータの使用が最小にされる運転モードとすることができる、または、場合によっては安全装置を除いてタービンがオフに切り替えられることを意味することができる。この実施形態の利点として、干渉に大きく寄与する選択された風力タービンの運転様態を変更することのみによって、他のタービンには影響が及ばないままで、受信ユニットにとっての許容レベルまで干渉が低減され、したがって他のタービンは依然としてエネルギを生成する。言い換えれば、システムの一部であるタービンすべてをオフに切り替えてすべての電力を失うのではなく、電力の減少が最小限であり、かつ干渉レベルが依然として許容可能である。
【００３２】
一実施形態においては、本システムは処理ユニットをさらに有し、この処理ユニットは、特に、１基または複数基の風力タービンのいずれか１基以上を低ＥＭ干渉の様態に切り替えることによって干渉が低減されるように、受信ユニットおよび１基または複数基の風力タービンの両方から情報を受信し、受信ユニットおよび／または１基または複数基の風力タービンを制御する。一実施形態においては、低干渉の様態が停止状態を意味するとき、ナセルのヨー角、ローターの方位角、および少なくとも１枚のブレードのピッチ角によって決まる、１基または複数基の風力タービンのいずれか１基以上の停止姿勢（stand）を、最小の干渉に対応する停止姿勢であるように選択することができる。本システムは、１基または複数基の風力タービンからと受信ユニットからの情報を受信し、かつこの情報を使用して、干渉を低減しウインドファームの収益を最大にすることによってシステムを最適化する処理ユニット、を有することが有利である。この処理ユニットは、例えば、風力タービンの停止姿勢を調整することができる。別の例によれば、干渉を低減するために何基かのタービンがオフに切り替えられており、受信ユニットが突然故障した場合、処理ユニットは、ただちにこの情報を使用してタービンをオンに切り替える。別の例として、処理ユニットは、１基または複数基の風力タービンのいずれか１基以上の停止姿勢に関する情報を受信ユニットに渡すことができる。この情報は受信ユニットにとって有利であり得、なぜなら受信ユニットは、タービンの停止姿勢が既知になった時点で、ＥＭ放射の反射を、例えばフィルタリングによって、より良好に補正できるためである。
【００３３】
一実施形態においては、本システムは、干渉を低減するために風力タービンが停止されるときに、その風力タービンの安全な姿勢であると考えられる停止姿勢において風力タービンが停止されるように、構成されている。なお、安全と考えられる姿勢において風力タービンが一時停止されるときには、それによって安全装置を、より小さい動作のモード（動作しないモードを含む）に切り替えることができ、これによりＥＭ放射をさらに低減することができる。
【００３４】
一実施形態においては、本システムは、測定ツールまたは推定アルゴリズムを備えており、これらは追加のツールとすることができる、または受信ユニットに組み込むことができる。測定されたＥＭ放射を使用して干渉を低減する目的で、この測定ツールは、１基または複数基の風力タービンのいずれか１基以上から放出されるＥＭ放射、特に、１基または複数基の風力タービンのいずれか１基以上から放出されて受信ユニットの方に向かう放射、を測定するように構成されている。測定データは、受信ユニットによって集められるデータをフィルタリングするために使用することができる。干渉への寄与が最大である風力タービンを追跡し、次いで低干渉の様態に切り替えることができるように、測定データを使用して風力タービンあたりのＥＭ放射を識別することが有利である。別の有利な実施形態においては、この測定ツールは、集められたデータまたはその結果を処理ユニットに渡す。
【００３５】
一実施形態においては、本システムは、ＥＭ放射を受信して処理するための少なくともアンテナ（例えばアンテナのアレイ）および電子装置、をさらに備えている。この電子装置は、受信した信号を、風力タービンのデータ（風力タービンあたりの電力、ローターのｒｐｍ、ローターの方位角、および時間に対するブレードのピッチ角など）に基づいて、生で、または過去にさかのぼって、フィルタリングすることができ、したがって干渉が低減される、および／または、受信ユニットのデータの品質が向上する。
【００３６】
一実施形態においては、本システムは、ＥＭ放射を測定して、ＥＭ放射が依然として干渉をもたらしている場合には、例えば、風力タービンの遮蔽を改善することによって、またはタービンの停止姿勢を変更することによって、または放射源を減少させることによって、またはタービンもしくはシステムの運転パラメータを変更することによって、任意の風力タービンによって放出または反射されるＥＭ放射を低減する、ために使用される。
【００３７】
非特許文献１には、ＥＭ放射に対する遮蔽体として、発電設備より高い壁を適用することが提案されている。しかしながらこのような壁は、いくつかの欠点を有する。このような壁は数十メートルの高さである必要があるため、実現するには高価である。さらに、このような壁は必然的に広い基礎を有するため、多量の地盤を動かさなければならない一方で、壁の上部のみがタービンのＥＭ放射を効果的に遮蔽する。さらには、壁が、受信ユニットによって研究されている宇宙線を遮蔽する結果となる場合、壁を除去するために多くの費用がかかる。したがって、壁を一時的に設置することによる、このような壁の有効性を確認するための単純な試験は、現実的ではない。
【００３８】
驚くべきことに、例えば支柱の間に設置される網を含むシステムの実施形態には、これらの欠点がない。網は、風力タービンのＥＭ放射に対してアンテナを効果的に遮蔽する。網は壁より安価であり、容易に除去する、または新たな場所に移すことができる。さらに驚くべきことに、壁のオプションとは逆に、網は、より上方の高さより地面の近くにおいて必要な材料が少ない。材料が節約されるように地面の近くにおいて網を開口とすることもできる。２つの理由で、地面の近くでは網を開口することができる。第一に、地面によって信号が減衰するため、ほぼ水平方向には、タービンからの妨害性のＥＭ放射の少ない寄与のみがアンテナに入力し、第二に、主要部品については、ＥＭ放射は、タービンのより上方の部品（例：ブレード、ハブ、およびナセルなど）によって放出または反射されるためである。有利な実施形態によれば、網の遮蔽体は、最も近くの風力タービンよりも受信ユニットの近くに設置される。タービンまでの距離と、受信ユニットまでの距離との比率は、少なくとも３、特に、少なくとも１０であるべきである。網の遮蔽体は、１０ＭＨｚ〜２５０ＭＨｚの範囲内のＥＭ放射を遮蔽するように構成されていることが好ましい。好ましい実施形態においては、網の遮蔽体は、少なくとも、受信ユニットと、最も近いタービンとの間と、特に、受信ユニットと、二番目に近いタービンとの間とに設置される。受信ユニットが２つ以上のアンテナを備えている場合、これらのアンテナのいずれか１つ以上を遮蔽するために複数の網を配置することができる。
【００３９】
本システムの一実施形態においては、干渉を低減する目的で１基または複数基の風力タービンのいずれか１基以上がエネルギ低減生産の様態に切り替えられている期間は、１基または複数基の風力タービンの財務収益（financial yield）に有利であるように選択される。この期間は、低エネルギ生産に関連付けられる風速（例えば、８ｍ／ｓ未満、特に７ｍ／ｓ未満、より特に６ｍ／ｓ未満の風速）の期間中に、選択されることが有利である。また、この期間は、過負荷を回避するためにタービンをオフに切り替える必要がある、またはオフに切り替えられる確率の大きい、高い風速（例えば約２０ｍ／ｓを超える、特に、約２５ｍ／ｓを超える風速）の期間中に、選択することもできる。風速とは、干渉を最小にするべき期間における、実際の風速、または予測される風速、または予測される平均風速を意味しうる。低い風速条件および高い風速条件のいずれにおいても、予測される財務収益は低い。ときには、予測される風速または平均風速が、多くのエネルギが生産される範囲内であっても、エネルギの価格が低いことがある（例えば、近隣の多数の風力タービンが多量に生産しており、したがって供給網が過剰生産の状態にあるとき）。また、このような条件は、受信ユニットによって測定を実行し、干渉を低減する目的で特定のタービンをオフに切り替えるのに好ましい期間でもある。別の例においては、干渉を低くすべきである期間中に、風力タービンのメンテナンスの予定を入れる。これにより、他の期間中のメンテナンスが減少し、したがって干渉が問題ではない期間中の風力タービンの稼働率が高まり、したがって生産されるエネルギがより大きい。一実施形態においては、風力タービンの財務収益を最適化することに基づいて、またはタービンのエネルギ収量を最適化することに基づいて、低干渉の期間およびメンテナンス作業の日程計画を最適化する。
【００４０】
処理ユニットによってシステムを改善することのできる一実施形態においては、受信ユニットが稼動可能であり、かつ１基または複数基の風力タービンがＥＭ放射の放出低減モードに切り替えられている期間中に、特定の理由（例：受信ユニットの故障）のため、予定されていた期間を継続する必要がなくなると、風力タービンを再び通常運転に切り替えることができる。この場合、処理ユニットは、運転モード間でのタービンの切替えを、例えば受信ユニットからの情報に基づいて実行することができ、したがってシステムの効率が全体として高まる。
【００４１】
一実施形態においては、１基または複数基の風力タービン以外の妨害側装置を、低放出モードに切り替えることができる、またはオフに切り替えることができるように、これらの装置に、受信ユニットの稼動期間が伝えられ。利点として、干渉レベルが低下する、または、低放出モードに切り替える必要のあるタービンが少なくなり、それにもかかわらず許容可能な干渉レベルが達成される。
【００４２】
本発明の一実施形態は、特に、地表面より上の風力タービンの軸線の高さの少なくとも５０％の高さにおいて風力タービンに固定されているアンテナ、をさらに備えている。語「に固定されている」の解釈は、アンテナが、風力タービンへの少なくとも１つの構造的結合部を有し、特に、この結合部が、地表面より上にアンテナを持ち上げた状態に支持していることである。このアンテナは、風力タービンによるＥＭ放射の放出および／または反射を測定するように構成されている。このような測定装置は、例えば、ＥＭ放射を低減するためのさまざまな対策の有効性を判定するために、または特定のＥＭ放出レベルへのタービンの準拠を判定するために、または測定データを入力として使用してシステムを最適化するために、有用である。アンテナは、例えば、場合によってはステイによって補強されたロッドなどの構造部（この構造部が風力タービンに固定される）によって、固定することができる。特に、この構造部は、ナセル、発電機、またはハブに固定されており、したがってこの構造部はナセルのヨー運動に従い、ブレードと構造部との衝突の危険性は最小限である。別の好ましい実施形態においては、この構造部はタービンのタワーに固定されており、したがって構造部はヨー運動に従わず、したがってこの構造部は、タービンのヨー運動する部品によるＥＭ放射の、ヨー軸を中心とする接線方向の分布を測定するために使用することができる。一実施形態においては、アンテナは、風力タービンと地面との間のロープに固定されている。ロープは、タワーの底部から５０ｍ〜５００ｍの範囲内の位置において、地面に固定することができる。アンテナは、ロープに固定されるロッドを備えた構造部を介して、ロープに固定することができ、ロッドは、一端においてアンテナを担持しており、他方の端部につり合い重りを有する。つり合い重りの代わりに、ロッドの下端部から地面までの別のラインを適用することもできる。一実施形態においては、アンテナは、タービンのヨー軸から１００ｍ未満、より特に６０ｍ未満、好ましくは４０ｍ未満の距離に、固定されている。一実施形態においては、アンテナは、ナセルから少なくとも５ｍ、特に、少なくとも１０ｍに、位置している。代替実施形態においては、アンテナは、ドローン、または飛行船や熱気球などの空気より軽いビークル（a lighter than air vehicle）によって、またはこれらの組合せによって、風力タービンの近くに位置決めされる。風力タービンから（例えばナセルから）、または地面からドローンに、電力線によって電力を供給することができる。空気より軽いビークルを、ビークルと地面との間、またはビークルと風力タービンとの間の１本または複数本のラインによって、所定の位置に維持することもできる。
【００４３】
以下の図面は、本発明の例示的な実施形態を示している。図面は、正しい縮尺では描かれていないことを理解されたい。
【図面の簡単な説明】
【００４４】
【図１】ＥＭ放射の放出が少ないように構成されている風力タービン。
【図２】ＥＭ放射の放出が少ないように構成されている風力タービン。
【図３】受信ユニットと、１基または複数基の風力タービンとを有するシステム。
【発明を実施するための形態】
【００４５】
図１は、ＥＭ放射の放出が少ないように構成されている風力タービンの一実施形態を示している。この風力タービンは、タワー２、ナセル３、発電機４、ハブ５、および少なくとも１枚のブレード６を備えている。ナセルの内側には、設置台１１および電子機器１０が存在する。タワーの下部には、コンバータ８を担持している別の設置台９が設置されている。タワーの底部には変圧器７が設置されている。この風力タービンは、ＥＭ放射の放出の測定を実行するためのアンテナ１４を備えている。アンテナは、ステイ１３によって補強されたロッド１２に固定されている。ロッドおよびステイの両方がタワー２に固定されている。
【００４６】
図２は、ＥＭ放射の放出が少ないように構成されている風力タービンの上部の例示的な実施形態を示している。ナセルの後部にはハッチ２０が設置されており、ハッチ２０は、ハッチの表面を覆っているハッチ遮蔽体によって、それ自体がＥＭ放射に対して遮蔽されている。ハッチ遮蔽体は、導電性接合部２１によってナセルの遮蔽体に結合されている。ブレード根元部はハッチ２２によって閉じられており、ハッチ２２も、導電性接合部２３によってハブの遮蔽体に結合されているハッチ遮蔽体を有する。
【００４７】
この実施形態においてはそれ自体が遮蔽体である（なぜなら例えば接地された鋼板から作製されているため）タワーと、この実施形態においては統合された遮蔽体を有するナセルとを、重なり部２４を形成することによって、ＥＭ放射の放出を低減するように構成された方法で接合することができる。
【００４８】
直接駆動発電機の固定子（２７）を有するナセルは主要部品であり、直接駆動発電機の回転子（２８）を有するハブは、別の主要部品であり、これらの主要部品は回動可能に結合されている。両方の主要部品は、ＥＭ放射の放出に対する遮蔽体を備えており、これらの遮蔽体は、回転軸線を中心とする閉曲線２６に沿って互いに接している。曲線２６に沿って、遮蔽体は導電性接合部２５によって結合されており、導電性接合部２５は、スリップリング、または相対的な運動を可能にする他の結合部とすることができる。
【００４９】
タワーは、別の主要部品であるナセルに回動可能に結合されている主要部品である。回動結合部の付近において、タワーの遮蔽体は、遮蔽体３１によって、回動結合部の中心まで継続されている。ナセルの遮蔽体も、遮蔽体３０によって回動結合部の中心まで継続されている。これらの遮蔽体は、結合部３２（タービンのヨー運動時にケーブルのねじれを可能にするケーブルとすることができる）を介して、またはスリップリングタイプの結合によって、結合されている。
【００５０】
回動結合部の中心まで継続している遮蔽体の別の実施形態は、ナセルの遮蔽体およびハブの遮蔽体を回転軸線の中心までそれぞれ継続させている遮蔽体３３および遮蔽体３４である。これらの遮蔽体は、回転を可能にする導電性接続部である結合部３５によって結合されている。
【００５１】
異なる遮蔽体を結合する３つの方法として、重なり部２４による方法、またはスリップリング２３，２５を使用することによる方法、または結合が形成される回転中心の方向に遮蔽体を継続させることによる方法（３０，３１，３２，３３，３４，３５）、を図解してある。これら３つの方法の適用は、風力タービンにおける、図示した位置に限定されない。任意の結合部の各位置において、説明した任意の結合が可能である。
【００５２】
図２は、避雷器４１としての役割を果たし、かつ、標識灯４４、風速計４２、および風向計４３などの機器を取り付ける役割を果たすマスト４０も示している。本発明の一実施形態によれば、これらの機器すべては、すべての電子回路の外面を接地することによって、ＥＭ放射の放出に対して遮蔽されている。避雷器を除く機器を完全に囲む網も、ＥＭ放射の放出を効果的に遮蔽する。一実施形態においては、網の目は、１ｍ×１ｍ未満、特に０．３ｍ×０．３ｍ未満、より特に０．１ｍ×０．１ｍ未満である。本発明に係る実施形態においては、ナセルの外側に設置されている機器の電子回路は、１０ＭＨｚ未満、特に１００ｋＨｚ未満、より特に１ｋＨｚ未満の遮断周波数を有する低域通過フィルタを介して、地面に接続されている。
【００５３】
図３は、本発明に係る例示的なシステム５０を示しており、このシステムは受信ユニット５１を備えており、受信ユニット５１は、この例示的なケースでは、アンテナ５２と、センサ５３と、電子回路および／または光学回路５５とを備えている。本システムは、２０ｋｍ未満の距離における何基かの風力タービン１と、処理ユニット５７とをさらに備えており、処理ユニット５７は、接続６０を介して風力タービンとデータを交換することができ、接続５８，５９を介して受信ユニットとデータを交換することができる。これらの接続は、物理的な接続として示してあるが、無線とすることもできる。処理ユニットは、フィルタリングを最適化するために、タービンの運転データを使用してそれを受信ユニットに転送することができる。さらに処理ユニットは、干渉を最小にする、または財務収益を最大にする、または別の最適条件を達成する目的で、受信ユニットの稼動データおよび／または測定ツールの動作データを使用してタービンを最適に運転することができる。
【００５４】
このシステムは、図３における金網または網６１に類似する遮蔽体を備えていることができる。網の密度は、特定の垂直範囲にわたって高さとともに増大させることができ、特に、網は、地面より上の特定の距離６３（この距離は少なくとも２メートルであることが好ましい）から始まる。網または金網は、任意の公知の方法によって（例えば支柱６２の間に固定することによって）設置することができ、少なくとも、アンテナと、最も近い風力タービンとの間に設置されることが好ましい。
【００５５】
本出願において、語「備えている」は、別の要素または別のステップを除外するものではない。さらに、語「ａ」または「ａｎ」のいずれも、複数の存在を除外するものではない。請求項における参照符号は、請求項の範囲を制限するようには解釈されないものとする。本文中の語「接地されている」は、アースへの直接的な接続を意味するが、アースへの間接的な（例えば別の装置を介しての）接続も意味しうる。このような接続は、互いに対して動く部品の間のスリップリングまたは別のタイプの導電性接点を備えていることができる。語「接地する」は、装置の導電性遮蔽体に接続することも意味しうる。語「接地する」は、最終的には、より大きい遮蔽体を形成するように遮蔽体を結合することを意味しうる。
【図１】
2020507036.tif 000003
【図２】
2020507036.tif 000004
【図３】
2020507036.tif 000005
【国際調査報告】
2020507036.tif 000006
2020507036.tif 000007
2020507036.tif 000008